(57)【特許請求の範囲】
【請求項１】
基準コンテンツのデータアイコンと、他のコンテンツのデータアイコンと、を識別可能に表示装置に表示するよう制御する表示制御手段と、
操作装置からの指示に基づき、前記表示装置に配列に従って表示されたデータアイコンを移動表示させるスクロール制御手段と、
前記移動表示の際に、前記基準コンテンツのデータアイコンに対して移動方向と逆方向のデータアイコンの数を、移動方向のデータアイコンの数より多く表示するよう制御するデータアイコン配列制御手段と、
を有することを特徴とする表示制御装置。
【請求項２】
データアイコンの移動表示の速度を制御する速度制御手段を更に有し、
前記データアイコン配列制御手段は、前記速度に応じて、前記移動表示の際に、前記基準コンテンツのデータアイコンに対して移動方向と逆方向のデータアイコンの数を、移動方向のデータアイコンの数より多く表示するよう制御することを特徴とする請求項１に記載の表示制御装置。
【請求項３】
基準コンテンツのデータアイコンを示す領域と、他のコンテンツのデータアイコンを示す領域と、を識別可能に表示装置に表示するよう制御する表示制御手段と、
操作装置からの指示に基づき、前記表示装置に配列に従って表示されたデータアイコンを前記基準コンテンツのデータアイコンを示す領域を通過するよう移動表示させるスクロール制御手段と、
前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御手段と、
を有することを特徴とする表示制御装置。
【請求項４】
データアイコンの移動表示の速度を制御する速度制御手段を更に有し、
前記データアイコン配列制御手段は、前記速度に応じて、前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御することを特徴とする請求項３に記載の表示制御装置。
【請求項５】
前記スクロール制御手段は、移動表示を開始した場合、前記基準コンテンツのデータアイコンを示す領域を、データアイコンの移動方向にずらして配置すると共に、移動表示を終了した場合、前記基準コンテンツのデータアイコンを示す領域を、前記表示装置の中央から所定の領域内に配置するよう制御することを特徴とする請求項３に記載の表示制御装置。
【請求項６】
前記スクロール制御手段は、移動表示を開始してから所定時間の経過後、前記基準コンテンツのデータアイコンを示す領域を、データアイコンの移動方向にずらして配置することを特徴とする請求項５に記載の表示制御装置。
【請求項７】
移動表示が開始された場合、前記基準コンテンツのデータアイコンを示す領域を通過前のデータアイコンを示す領域の大きさを、前記基準コンテンツのデータアイコンを示す領域を通過後のデータアイコンを示す領域の大きさより小さくすると共に、移動表示が終了された場合、前記基準コンテンツのデータアイコンを示す領域の大きさと他のコンテンツのデータアイコンを示す領域の大きさとを同じにするデータアイコン変換手段を更に有することを特徴とする請求項３乃至６の何れか１項に記載の表示制御装置。
【請求項８】
前記データアイコン変換手段は、移動表示が開始されてから所定時間の経過後、前記基準コンテンツのデータアイコンを示す領域の大きさを、前記領域を通過前の他のコンテンツのデータアイコンを示す領域の大きさより大きくすることを特徴とする請求項７に記載の表示制御装置。
【請求項９】
データアイコンの移動表示の速度を制御する速度制御手段を更に有し、
前記データアイコン変換手段は、前記速度に応じて、前記移動表示の際に、前記基準コンテンツのデータアイコンを示す領域を通過する前のデータアイコンを示す領域の大きさを、前記基準コンテンツのデータアイコンを示す領域を通過した後のデータアイコンを示す領域の大きさより小さくすることを特徴とする請求項７に記載の表示制御装置。
【請求項１０】
前記データアイコン配列制御手段は、前記移動表示の際に、前記基準コンテンツのデータアイコンを示す領域を通過する前のデータアイコンの列数を、前記基準コンテンツのデータアイコンを示す領域を通過した後のデータアイコンの列数より多く表示するよう制御することを特徴とする請求項３に記載の表示制御装置。
【請求項１１】
前記データアイコン配列制御手段は、移動表示が開始されてから所定時間の経過後、前記基準コンテンツのデータアイコンを示す領域を通過する前のデータアイコンの列数を、前記基準コンテンツのデータアイコンを示す領域を通過した後のデータアイコンの列数より多く表示するよう制御することを特徴とする請求項１０に記載の表示制御装置。
【請求項１２】
データアイコンの移動表示の速度を制御する速度制御手段を更に有し、
前記データアイコン配列制御手段は、前記速度に応じて、前記移動表示の際に、前記基準コンテンツのデータアイコンを示す領域を通過する前のデータアイコンの列数を、前記基準コンテンツのデータアイコンを示す領域を通過した後のデータアイコンの列数より多く表示するよう制御することを特徴とする請求項１０に記載の表示制御装置。
【請求項１３】
表示制御装置が実行する表示制御方法であって、
基準コンテンツのデータアイコンと、他のコンテンツのデータアイコンと、を識別可能に表示装置に表示するよう制御する表示制御ステップと、
操作装置からの指示に基づき、前記表示装置に配列に従って表示されたデータアイコンを移動表示させるスクロール制御ステップと、
前記移動表示の際に、前記基準コンテンツのデータアイコンに対して移動方向と逆方向のデータアイコンの数を、移動方向のデータアイコンの数より多く表示するよう制御するデータアイコン配列制御ステップと、
を有することを特徴とする表示制御方法。
【請求項１４】
表示制御装置が実行する表示制御方法であって、
基準コンテンツのデータアイコンを示す領域と、他のコンテンツのデータアイコンを示す領域と、を識別可能に表示装置に表示するよう制御する表示制御ステップと、
操作装置からの指示に基づき、前記表示装置に配列に従って表示されたデータアイコンを前記基準コンテンツのデータアイコンを示す領域を通過するよう移動表示させるスクロール制御ステップと、
前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御ステップと、
を有することを特徴とする表示制御方法。
【請求項１５】
コンピュータを、
基準コンテンツのデータアイコンと、他のコンテンツのデータアイコンと、を識別可能に表示装置に表示するよう制御する表示制御手段と、
操作装置からの指示に基づき、前記表示装置に配列に従って表示されたデータアイコンを移動表示させるスクロール制御手段と、
前記移動表示の際に、前記基準コンテンツのデータアイコンに対して移動方向と逆方向のデータアイコンの数を、移動方向のデータアイコンの数より多く表示するよう制御するデータアイコン配列制御手段と、
して機能させることを特徴とするプログラム。
【請求項１６】
コンピュータを、
基準コンテンツのデータアイコンを示す領域と、他のコンテンツのデータアイコンを示す領域と、を識別可能に表示装置に表示するよう制御する表示制御手段と、
操作装置からの指示に基づき、前記表示装置に配列に従って表示されたデータアイコンを前記基準コンテンツのデータアイコンを示す領域を通過するよう移動表示させるスクロール制御手段と、
前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御手段と、
して機能させることを特徴とするプログラム。
【請求項１７】
請求項１５又は１６に記載のプログラムを記憶したコンピュータにより読み取り可能な記憶媒体。
【発明の詳細な説明】
【技術分野】
【０００１】
本発明は、表示制御装置及び表示制御方法に関する。
【背景技術】
【０００２】
近年では、ＰＣ、専用蓄積装置以外にも、コンテンツを撮影するカメラ等に蓄積機能を備えているもの、またディスクレコーダのように放送コンテンツ等を蓄積するもの等がある。そして、こうしたデバイスにあるコンテンツを一覧表示する表示装置も存在する。こうした構成において、表示装置の中には、全てのコンテンツのリストをコンテンツ名といったテキストでのリスト表示を行うものがある。また、近年ではコンテンツのサムネイル、特徴部の一部再生といったコンテンツの概要を画像又は映像等で、明示的に一覧表示する表示装置もある。こうした表示装置では、コンテンツを日付順やファイル名順といった順序で表示することにより、コンテンツの概要をわかりやすく見せている。また、このような表示方法は、コンテンツを探す上で有効な表示方法となっている。また、コンテンツを整理してグループ化することにより、コンテンツを探しやすくする表示方法もある。この場合、表示装置は、グループ化されたコンテンツ群を１つのアイコン等で表示する。このとき、コンテンツグループのアイコンは、そのコンテンツグループ内の代表コンテンツの画像、又は、一部、或いは全部のコンテンツの画像から作成されることが多い。
【０００３】
こうした中で、ユーザにとっては、コンテンツを閲覧しながら所望のコンテンツを探そうとした場合、できるだけ早くコンテンツ間を移動してそのコンテンツにたどり着きたい要望がある。このようなスクロールによるコンテンツを見ながら、目的のコンテンツを探していくコンテンツ視覚検索においてはスクロールの高速性が重要となる。
また、コンテンツをテレビ等に映して閲覧するといったニーズも増えてきており、キーボードやマウス等よりも、矢印キーや限定されたキーしか持たないリモコンで操作したいといった要望もある。つまり、コンテンツをスクロールさせながら閲覧する場合にも、少ないキーでの簡単な操作性も重要になってきている。
こうした中で、簡単な操作に応じて、高速スクロールを行っている場合に、いかにスクロール表示されているコンテンツの視認性を高めるかが重要になってくる。
【０００４】
なお、スクロールの方向、レイアウト、基準コンテンツ画像の領域位置を自由に配置することができ、スクロール指示があると注目画像の領域を通過しながらスクロールしていくことにより、コンテンツの視認性を高めているものがある（特許文献１参照）。
【０００５】
また、基準コンテンツ画像の近くにスクロールの方向をあらわすアイコンを表示するものもある（特許文献２参照）。
【０００６】
【特許文献１】特開２００１−３０６３７５号公報
【特許文献２】特開２００４−２０８２９１号公報
【発明の開示】
【発明が解決しようとする課題】
【０００７】
しかしながら、上記従来の技術では、スクロールしてコンテンツを視覚検索する場合、そこに表示されるコンテンツ数が十分でないため、視認性が上がらない問題があった。また、スクロールを行う場合、基準コンテンツを示す領域を通過前のデータアイコンのほうが、通過後のデータアイコンよりも注目する場合が多いが、限られた表示エリアに対して、より重要なコンテンツを表示することができない問題があった。
【０００８】
本発明はこのような問題点に鑑みなされたもので、限られた表示エリアにおいて重要なコンテンツを表示させると共に、視認性を向上させることを目的とする。
【課題を解決するための手段】
【０００９】
そこで、本発明は、基準コンテンツのデータアイコンと、他のコンテンツのデータアイコンと、を識別可能に表示装置に表示するよう制御する表示制御手段と、操作装置からの指示に基づき、前記表示装置に配列に従って表示されたデータアイコンを移動表示させるスクロール制御手段と、前記移動表示の際に、前記基準コンテンツのデータアイコンに対して移動方向と逆方向のデータアイコンの数を、移動方向のデータアイコンの数より多く表示するよう制御するデータアイコン配列制御手段と、を有することを特徴とする。
【００１０】
また、本発明は、基準コンテンツのデータアイコンを示す領域と、他のコンテンツのデータアイコンを示す領域と、を識別可能に表示装置に表示するよう制御する表示制御手段と、操作装置からの指示に基づき、前記表示装置に配列に従って表示されたデータアイコンを前記基準コンテンツのデータアイコンを示す領域を通過するよう移動表示させるスクロール制御手段と、前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御手段と、を有することを特徴とする。
【００１１】
また、本発明は、表示制御装置が実行する表示制御方法であって、基準コンテンツのデータアイコンと、他のコンテンツのデータアイコンと、を識別可能に表示装置に表示するよう制御する表示制御ステップと、操作装置からの指示に基づき、前記表示装置に配列に従って表示されたデータアイコンを移動表示させるスクロール制御ステップと、前記移動表示の際に、前記基準コンテンツのデータアイコンに対して移動方向と逆方向のデータアイコンの数を、移動方向のデータアイコンの数より多く表示するよう制御するデータアイコン配列制御ステップと、を有することを特徴とする。
【００１２】
また、本発明は、表示制御装置が実行する表示制御方法であって、基準コンテンツのデータアイコンを示す領域と、他のコンテンツのデータアイコンを示す領域と、を識別可能に表示装置に表示するよう制御する表示制御ステップと、操作装置からの指示に基づき、前記表示装置に配列に従って表示されたデータアイコンを前記基準コンテンツのデータアイコンを示す領域を通過するよう移動表示させるスクロール制御ステップと、前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御ステップと、を有することを特徴とする。
【００１３】
また、本発明は、プログラム及び記憶媒体としてもよい。
【発明の効果】
【００１４】
本発明によれば、限られた表示エリアにおいて重要なコンテンツを表示させると共に、視認性を向上させることができる。
【発明を実施するための最良の形態】
【００１５】
以下、本発明の実施形態について図面に基づいて説明する。
【００１６】
＜実施形態１＞
図１は、表示システムのシステム構成の一例を示す図である。
図１に示されるように、表示システムは、表示制御装置の一例であるコンテンツ閲覧装置１０１と、表示装置１０２と、操作装置の一例である操作リモコン装置１０３と、を含む。
【００１７】
コンテンツ閲覧装置（コンピュータ）１０１は、コンテンツ及びデータアイコンを保持し、データアイコンの配列（データアイコン配列）を形成し、データアイコンの配置を制御し、表示装置１０２に対して出力する。
表示装置１０２は、コンテンツ閲覧装置１０１から出力されたコンテンツやデータアイコンの画像を表示する例えばディスプレイ等である。
操作リモコン装置１０３は、コンテンツの選択や表示の切り替え等の操作入力をコンテンツ閲覧装置１０１に対して行う。
【００１８】
図２は、コンテンツ閲覧装置１０１及び表示装置１０２のハードウェア構成の一例を示す図である。
図２において、２０１は、中央制御部（ＣＰＵ）である。２０２は、ＲＯＭである。２０３は、ＲＡＭである。
【００１９】
２０４は、操作リモコン装置１０３からの操作コマンドを受け取る操作入力部である。
２０５は、表示対象となるコンテンツを保持しておくコンテンツ蓄積部である。
２０６は、コンテンツ蓄積部２０５に保持されているコンテンツを管理するコンテンツ管理部である。
２０７は、コンテンツ蓄積部２０５に蓄積されているコンテンツに付加されているメタデータを管理するコンテンツメタデータ管理部である。
２０８は、コンテンツを配列に従って順次表示させ、基準コンテンツを移動、データアイコンをスクロール（移動表示）、スクロール継続時間、更にその速度を制御するスクロール制御部である。
【００２０】
２０９は、状態によって基準コンテンツの位置や、データアイコンの大きさ、表示位置等を制御し、操作画面データ作成する表示制御部である。
２１０は、表示するデータアイコンを記憶するデータアイコン格納部である。
２１１は、表示制御部２０９の指示により、表示するデータアイコンの大きさを変更するデータアイコン変換部である。
２１２は、表示制御部２０９の指示により、表示するデータアイコンの配列順序、配列数を制御するデータアイコン配列作成部である。
２１３は、表示装置１０２に対して、コンテンツやそのアイコン、表示制御部２０９にて作成された操作画面データ等を出力する表示出力部である。
２１４は、操作入力部２０４からに、加速、減速、停止等の指示に従ってスクロールの速度、更に表示切替えを管理（制御）するスクロール速度管理部（スクロール速度制御部）である。
２１５は、内部バスである。
【００２１】
なお、図２ではハードウェアとして説明しているが、２０４、２０６〜２０９、２１１〜２１４は、ＲＯＭ２０２等に記憶されているプログラムをＣＰＵ２０１がＲＡＭ２０３上に読み出して実行することによって実現されるソフトウェアであってもよい。
また、２２１は、中央制御部（ＣＰＵ）である。２２２は、ＲＯＭである。２２３は、ＲＡＭである。
【００２２】
２２４は、コンテンツ閲覧装置１０１の表示制御部２０９にて生成され、表示出力部２１３から出力された表示画像データを表示する表示部である。
２２５は、内部バスである。
【００２３】
図３は、操作リモコン装置１０３のハードウェア構成の一例を示す図である。
図３において、３０１は、上を指示する上指示キーである。３０２は、下を指示する下指示キーである。３０３は、右を指示する右指示キーである。３０４は、左を指示する左指示キーである。操作リモコン装置１０３は、右指示キー３０３、左指示キー３０４の押下に応じて、コンテンツ閲覧装置１０１に対して、データアイコン等のスクロールを指示する。３０５は、確定キーである。操作リモコン装置１０３は、確定キー３０５の押下に応じて、コンテンツ閲覧装置１０１に対して、選択や操作の決定を指示する。３０６は、停止キーである。操作リモコン装置１０３は、停止キー３０６の押下に応じて、コンテンツ閲覧装置１０１に対して、スクロールの停止を指示する。
【００２４】
図４は、表示装置１０２の表示部２２４に表示された表示画面の一例を示す図である。
図４の表示画面では、データアイコン４１０〜４４９が、コンテンツメタデータ管理部２０７で管理されているメタデータごとに順に並べられて表示されている。ここで、表示画面上には４２１〜４２７のデータアイコンが表示されており、基準コンテンツは、データアイコン４２４が示すコンテンツとなっている。
つまり、表示画面では基準コンテンツのデータアイコンと、他のコンテンツのデータアイコンとが、識別可能に表示されている。
操作リモコン装置１０３の左右の指示キー３０３〜３０４にてスクロール指示が成されると、表示画面上では、並び順に従ってデータアイコンが指示された方向と反対方向に移動していき、基準コンテンツは指示された方向のコンテンツにずれていく。操作リモコン装置１０３の確定キー３０５が押下されると、表示画面上では、そのときの基準コンテンツが表示される。
【００２５】
図５は、従来のスクロールにおける画面遷移の一例を示す図である。
図５において、５０１は、停止状態の表示画面である。
第一の例として、操作リモコン装置１０３の右指示キー３０３が押下されると、５０２のように基準コンテンツのデータアイコンを示す領域の位置を動かさずに、データアイコンを右から左へとずらしていきながらスクロールする。ここでは、移動方向側のデータアイコンは、５１２〜５１４、移動方向と逆側（逆方向）のデータアイコンは、５１６〜５１８となる。
【００２６】
第二の例として、操作リモコン装置１０３の右指示キー３０３が押下されると、５０３のように基準コンテンツのデータアイコンを示す領域の位置を右に移動させながらデータアイコンを右から左へとずらしていきながらスクロールする。そして基準コンテンツのデータアイコンを示す領域が右端に達すると、５０４のように基準コンテンツのデータアイコンを５２５、５２６、５２７とずらしていきながらスクロールする。ここでは、移動方向側のデータアイコンは、５２１〜５２６、移動方向と逆側のデータアイコンは、表示されていない。スクロールを停止した場合、５０１の表示画面に戻る場合、５０４のままで止まる場合等がある。
以下、本実施形態におけるスクロールにおける画面遷移等の一例を説明する。
【００２７】
図６は、基準コンテンツの位置を移動させる場合の画面遷移の一例を示す図である。
図６において、６０１は、停止状態の表示画面である。基準コンテンツは表示画面の中央付近に位置している。６０２は、基準コンテンツのデータアイコンを示す領域の位置を動かさずに、基準コンテンツのデータアイコンを６１５、６１６とずらしていきながら右から左へスクロールした状態の表示画面である。ここでは、移動方向側のデータアイコンは、６１２〜６１４、移動方向と逆側のデータアイコンは、６１６〜６１８となっている。６０３は、基準コンテンツのデータアイコンを示す領域の位置を左に動かし、基準コンテンツのデータアイコンを６２２、６２３とずらしていきながら右から左へスクロールした状態の表示画面である。ここでは、移動方向側のデータアイコンは、６２１、移動方向と逆側のデータアイコンは、６２３〜６２７となる。
【００２８】
図７は、データアイコンの大きさを変化させる場合の画面遷移の一例を示す図（その１）である。
図７において、速度７−１は１秒間に３フレーム移動するスクロール速度（以下３フレーム／秒）、速度７−２は４フレーム／秒、速度７−３は６フレーム／秒とする。７０１は停止状態の表示画面である。基準コンテンツのデータアイコンを示す領域は、表示画面の中央付近（つまり中央から所定の領域内）に配置されている。７０２は、基準コンテンツのデータアイコンを示す領域の大きさを、他のコンテンツのデータアイコンを示す領域の大きさと同じに表示している画面である。また、７０２は、基準コンテンツのデータアイコンを７２４、７２５とずらしていきながら右から左へ速度７−１でスクロールする画面である。
【００２９】
７０３は、基準コンテンツのデータアイコンを示す領域に対して右側のデータアイコンの大きさを小さく表示し、基準コンテンツのデータアイコンを７３４、７３５とずらしていきながら右から左へ速度７−２でスクロールする画面である。このときのデータアイコン７３４〜７３７の大きさは、データアイコン７２４〜７２６の大きさの、（速度７−１／速度７−２）となる。
７０４は、基準コンテンツのデータアイコンを示す領域に対して右側のデータアイコンの大きさをより小さく表示し、基準コンテンツのデータアイコンを７４４、７４５とずらしていきながら右から左へ速度７−３でスクロールする画面である。このときのデータアイコン７４４〜７４９の大きさは、データアイコン７２４〜７２６の大きさの、（速度７−１／速度７−３）となる。
【００３０】
図８は、データアイコンの列数を変化させる場合の画面遷移の一例を示す図である。
図８において、速度９−１は４フレーム／秒、速度９−２は８フレーム／秒、速度９−３は１２フレーム／秒とする。９０１は停止状態の表示画面である。基準コンテンツのデータアイコンを示す領域は、表示画面の中央付近（つまり中央から所定の距離内）に配置されている。９０２は、基準コンテンツ以外の他のコンテンツのアイコンを示す領域の大きさを小さく表示し、基準コンテンツのデータアイコンを９２４、９２５とずらしていきながら右から左へ速度９−１でスクロールする画面である。９０３は、基準コンテンツのアイコンを示す領域に対して右側のデータアイコンの列数を増やして表示し、基準コンテンツのデータアイコンを９３４、９３５とずらしていきながら右から左へ速度９−２でスクロールする画面である。９０４は、基準コンテンツのアイコンを示す領域に対して右側のデータアイコンの列数を更に増やして表示し、基準コンテンツのデータアイコンを９５４、９５５とずらしていきながら右から左へ速度９−３でスクロールする画面である。
【００３１】
図９は、基準コンテンツの位置を移動させる場合のスクロール動作処理の一例を示すフローチャートである。
まず、Ｓ１００１において、スクロール制御部２０８は、操作リモコン装置１０３の右指示キー３０３が押下されたか否かを判断する。スクロール制御部２０８は、操作入力部２０４が受け取った操作リモコン装置１０３からの操作コマンドに基づいて、右指示キー３０３が押下されたか否かを判断する。スクロール制御部２０８は、右指示キー３０３が押下されたと判断した場合はＳ１００２へ処理を進め、右指示キー３０３が押下されていないと判断した場合は、Ｓ１００８へ処理を進める。
【００３２】
Ｓ１００２において、スクロール制御部２０８は、基準コンテンツ（基準コンテンツのデータアイコンを示す領域）の位置を動かさずに、基準コンテンツのデータアイコンを６１５へずらしていきながら右から左へスクロールする。
続いて、Ｓ１００３において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１００４へ処理を進め、右指示キー３０３が継続して押下されていないと判断した場合はＳ１００８へ処理を進める。
【００３３】
Ｓ１００４において、スクロール制御部２０８は、予め定められた一定時間（所定時間）経過したか否かを判断する。スクロール制御部２０８は、予め定められた一定時間経過したと判断した場合はＳ１００５へ処理を進める。一方、スクロール制御部２０８は、予め定められた一定時間経過していないと判断した場合はＳ１００２へ処理を戻し、基準コンテンツのデータアイコンを６１６へずらしていきながら右から左へスクロールする。
【００３４】
Ｓ１００５において、スクロール制御部２０８は、基準コンテンツのデータアイコンを示す領域の位置を表示画面６０３のように左に動かす。また、データアイコン配列制御部２１２は、基準コンテンツのデータアイコンを示す領域に対して右側のデータアイコンの数を左側のデータアイコンの数より多く表示する。つまり、データアイコン配列制御部２１２は、基準コンテンツのデータアイコンを示す領域を通過する前のデータアイコンの数を、基準コンテンツのデータアイコンを示す領域を通過した後のデータアイコンの数より多く表示するよう制御する。
【００３５】
Ｓ１００６において、スクロール制御部２０８は、基準コンテンツのデータアイコンを６２２、６２３とずらしていきながら右から左へ所定量スクロールする。
Ｓ１００７において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１００６へ処理を戻し、右指示キー３０３が継続して押下されていないと判断した場合はＳ１０１５へ処理を進める。
【００３６】
Ｓ１０１５において、スクロール制御部２０８は、移動表示を終了させ、基準コンテンツのデータアイコンを示す領域を中央へ戻し、停止状態の表示画面に戻す。
一方、Ｓ１０１８において、スクロール制御部２０８は、操作リモコン装置１０３の左指示キー３０４が押下されたか否かを判断する。スクロール制御部２０８は、操作入力部２０４が受け取った操作リモコン装置１０３からの操作コマンドに基づいて、左指示キー３０４が押下されたか否かを判断する。スクロール制御部２０８は、左指示キー３０４が押下されたと判断した場合はＳ１００９へ処理を進め、左指示キー３０４が押下されていないと判断した場合は、Ｓ１００１へ処理を戻す。
【００３７】
Ｓ１００８において、スクロール制御部２０８は、操作リモコン装置１０３の左指示キー３０４が押下されたか否かを判断する。スクロール制御部２０８は、操作入力部２０４が受け取った操作リモコン装置１０３からの操作コマンドに基づいて、左指示キー３０４が押下されたか否かを判断する。スクロール制御部２０８は、左指示キー３０４が押下されたと判断した場合はＳ１００９へ処理を進め、左指示キー３０４が押下されていないと判断した場合は、Ｓ１００１へ処理を戻す。
【００３８】
Ｓ１００９において、スクロール制御部２０８は、画面６０２のように基準コンテンツのデータアイコンを示す領域の位置を動かさずに、基準コンテンツのデータアイコンを６１３へずらしていきながら左から右へスクロールする。
Ｓ１０１０において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１０１１へ処理を進め、左指示キー３０４が継続して押下されていないと判断した場合はＳ１００１へ処理を戻す。
【００３９】
Ｓ１０１１において、スクロール制御部２０８は、予め定められた一定時間（所定時間）経過したか否かを判断する。スクロール制御部２０８は、予め定められた一定時間経過したと判断した場合はＳ１０１２へ処理を進める。一方、スクロール制御部２０８は、予め定められた一定時間経過していないと判断した場合はＳ１００９へ処理を戻し、基準コンテンツのデータアイコンを６１２へずらしていきながら左から右へスクロールする。
【００４０】
Ｓ１０１２において、スクロール制御部２０８は、基準コンテンツのデータアイコンを示す領域の位置を右に動かす。また、データアイコン配列制御部２１２は、基準コンテンツのデータアイコンを示す領域に対して左側のデータアイコンの数を右側のデータアイコンの数より多く表示する。つまり、データアイコン配列制御部２１２は、基準コンテンツのデータアイコンを示す領域を通過する前のデータアイコンの数を、基準コンテンツのデータアイコンを示す領域を通過した後のデータアイコンの数より多く表示するよう制御する。
Ｓ１０１３において、スクロール制御部２０８は、左から右へ所定量スクロールする。
【００４１】
Ｓ１０１４において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１０１３へ処理を戻し、左指示キー３０４が継続して押下されていないと判断した場合はＳ１０１５へ処理を進める。
【００４２】
コンテンツ閲覧装置１０１が図９に示したような処理を行うことにより、基準コンテンツを示す領域を通過前のデータアイコンの数を、通過後のデータアイコンの数よりも多く表示することができる。よって、限られた表示エリアに対して、重要なコンテンツをより多く表示することができる。また一定時間連続したスクロールが行われてから（又は所定時間の経過後）、基準コンテンツの位置を移動させることにより、コンテンツを選択するための微調整でのスクロールでは基準コンテンツの位置が移動することがなく、見づらさを解消することができる。
【００４３】
図１０は、データアイコンの大きさを変化させる場合のスクロール動作処理の一例を示すフローチャートである。
まず、Ｓ１１０１において、スクロール制御部２０８は、操作リモコン装置１０３の右指示キー３０３が押下されたか否かを判断する。スクロール制御部２０８は、操作入力部２０４が受け取った操作リモコン装置１０３からの操作コマンドに基づいて、右指示キー３０３が押下されたか否かを判断する。スクロール制御部２０８は、右指示キー３０３が押下されたと判断した場合はＳ１１０２へ処理を進め、右指示キー３０３が押下されていないと判断した場合は、Ｓ１１１４へ処理を進める。
【００４４】
Ｓ１１０２において、スクロール制御部２０８は、基準コンテンツ（基準コンテンツのデータアイコンを示す領域）の位置を動かさずに、基準コンテンツのデータアイコンを７１４へずらしていきながら右から左へスクロールする。
続いて、Ｓ１１０３において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１１０４へ処理を進め、右指示キー３０３が継続して押下されていないと判断した場合はＳ１１１４へ処理を進める。
【００４５】
Ｓ１１０４において、スクロール制御部２０８は、予め定められた一定時間（所定時間）経過したか否かを判断する。スクロール制御部２０８は、予め定められた一定時間経過したと判断した場合はＳ１１０５へ処理を進める。一方、スクロール制御部２０８は、予め定められた一定時間経過していないと判断した場合はＳ１１０２へ処理を戻し、基準コンテンツのデータアイコンを７１５へずらしていきながら右から左へスクロールする。
【００４６】
Ｓ１１０５において、データアイコン変換部２１１は、表示画面７０２のように基準コンテンツのデータアイコンの大きさ（データアイコンを示す領域の大きさ）を、他のデータアイコンを示す領域の大きさと同じにする。また、データアイコン配列制御部２１２は、基準コンテンツのデータアイコンを示す領域に対して右側のデータアイコンの数を左側のデータアイコンの数より多く表示する。つまり、データアイコン配列制御部２１２は、基準コンテンツのデータアイコンを示す領域を通過する前のデータアイコンの数を、基準コンテンツのデータアイコンを示す領域を通過した後のデータアイコンの数より多く表示するよう制御する。
【００４７】
Ｓ１１０６において、スクロール制御部２０８は、基準コンテンツのデータアイコンを７２４、７２５とずらしていきながら右から左へ速度７−１で、所定量スクロールする。なお、速度の制御（又は管理）は、スクロール速度管理部２１４が行う。
Ｓ１１０７において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１１０８へ処理を進め、右指示キー３０３が継続して押下されていないと判断した場合はＳ１１２７へ処理を進める。
【００４８】
Ｓ１１０８において、スクロール制御部２０８は、予め定められた一定時間（所定時間）経過したか否かを判断する。スクロール制御部２０８は、予め定められた一定時間経過したと判断した場合はＳ１１０９へ処理を進め、予め定められた一定時間経過していないと判断した場合はＳ１１０６へ処理を戻す。
Ｓ１１０９において、データアイコン変換部２１１は、表示画面７０３のように基準コンテンツのデータアイコンを示す領域の右側のデータアイコンを示す領域の大きさを他の領域の大きさに比べて小さくする。また、スクロール速度管理部２１４は、スクロール速度を上げる（例えば速度７−２に上げる）。
【００４９】
Ｓ１１１０において、スクロール制御部２０８は、基準コンテンツのデータアイコンを７３４、７３５とずらしていきながら右から左へ速度７−２で、所定量スクロールする。なお、速度の制御（又は管理）は、スクロール速度管理部２１４が行う。
Ｓ１１１１において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１１１２へ処理を進め、右指示キー３０３が継続して押下されていないと判断した場合はＳ１１２７へ処理を進める。
【００５０】
Ｓ１１１２において、スクロール制御部２０８は、予め定められた一定時間（所定時間）経過したか否かを判断する。スクロール制御部２０８は、予め定められた一定時間経過したと判断した場合はＳ１１１３へ処理を進め、予め定められた一定時間経過していないと判断した場合はＳ１１１０へ処理を戻す。
【００５１】
Ｓ１１１３において、スクロール速度管理部２１４は、予め定められたスクロール上限速度になっているか否かを判断する。スクロール速度管理部２１４は、スクロール上限速度になっていると判断した場合はＳ１１１０へ処理を戻す。Ｓ１１１０では、スクロール制御部２０８が、基準コンテンツのデータアイコンを７４４、７４５とずらしていきながら右から左へスクロールする。一方、スクロール速度管理部２１４は、スクロール上限速度になっていないと判断した場合はＳ１１０９へ処理を戻す。Ｓ１１０９では、データアイコン変換部２１１は、表示画面７０４のように基準コンテンツのデータアイコンを示す領域の右側のデータアイコンを示す領域の大きさを他の領域の大きさに比べて更に小さくする。また、スクロール速度管理部２１４は、スクロール速度を上げる（例えば速度７−３に上げる）。
【００５２】
Ｓ１１１４において、スクロール制御部２０８は、操作リモコン装置１０３の左指示キー３０４が押下されたか否かを判断する。スクロール制御部２０８は、操作入力部２０４が受け取った操作リモコン装置１０３からの操作コマンドに基づいて、左指示キー３０４が押下されたか否かを判断する。スクロール制御部２０８は、左指示キー３０４が押下されたと判断した場合はＳ１１１５へ処理を進め、左指示キー３０４が押下されていないと判断した場合は、Ｓ１１０１へ処理を戻す。
Ｓ１１１５において、スクロール制御部２０８は、基準コンテンツ（基準コンテンツのデータアイコンを示す領域）の位置を動かさずに、基準コンテンツのデータアイコンを７１２へずらしていきながら左から右へスクロールする。
【００５３】
続いて、Ｓ１１１６において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１１１７へ処理を進め、左指示キー３０４が継続して押下されていないと判断した場合はＳ１１０１へ処理を戻す。
【００５４】
Ｓ１１１７において、スクロール制御部２０８は、予め定められた一定時間（所定時間）経過したか否かを判断する。スクロール制御部２０８は、予め定められた一定時間経過したと判断した場合はＳ１１１８へ処理を進める。一方、スクロール制御部２０８は、予め定められた一定時間経過していないと判断した場合はＳ１１１５へ処理を戻し、基準コンテンツのデータアイコンを７１１へずらしていきながら左から右へスクロールする。
【００５５】
Ｓ１１１８において、データアイコン変換部２１１は、基準コンテンツのデータアイコンの大きさ（データアイコンを示す領域の大きさ）を、他のデータアイコンを示す領域の大きさと同じにする。また、データアイコン配列制御部２１２は、基準コンテンツのデータアイコンを示す領域に対して左側のデータアイコンの数を右側のデータアイコンの数より多く表示する。つまり、データアイコン配列制御部２１２は、基準コンテンツのデータアイコンを示す領域を通過する前のデータアイコンの数を、基準コンテンツのデータアイコンを示す領域を通過した後のデータアイコンの数より多く表示するよう制御する。
【００５６】
Ｓ１１１９において、スクロール制御部２０８は、基準コンテンツのデータアイコンを左から右へ速度７−１で、所定量スクロールする。なお、速度の制御（又は管理）は、スクロール速度管理部２１４が行う。
Ｓ１１２０において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１１２１へ処理を進め、左指示キー３０４が継続して押下されていないと判断した場合はＳ１１２７へ処理を進める。
【００５７】
Ｓ１１２１において、スクロール制御部２０８は、予め定められた一定時間（所定時間）経過したか否かを判断する。スクロール制御部２０８は、予め定められた一定時間経過したと判断した場合はＳ１１２２へ処理を進め、予め定められた一定時間経過していないと判断した場合はＳ１１１９へ処理を戻す。
【００５８】
Ｓ１１２２において、データアイコン変換部２１１は、基準コンテンツのデータアイコンを示す領域の左側のデータアイコンを示す領域の大きさを他の領域の大きさに比べて小さくする。また、スクロール速度管理部２１４は、スクロール速度を上げる（例えば速度７−２に上げる）。
【００５９】
Ｓ１１２３において、スクロール制御部２０８は、基準コンテンツのデータアイコンを左から右へ速度７−２で、所定量スクロールする。なお、速度の制御（又は管理）は、スクロール速度管理部２１４が行う。
Ｓ１１２４において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１１２５へ処理を進め、左指示キー３０４が継続して押下されていないと判断した場合はＳ１１２７へ処理を進める。
【００６０】
Ｓ１１２５において、スクロール制御部２０８は、予め定められた一定時間（所定時間）経過したか否かを判断する。スクロール制御部２０８は、予め定められた一定時間経過したと判断した場合はＳ１１２６へ処理を進め、予め定められた一定時間経過していないと判断した場合はＳ１１２３へ処理を戻す。
【００６１】
Ｓ１１２６において、スクロール速度管理部２１４は、予め定められたスクロール上限速度になっているか否かを判断する。スクロール速度管理部２１４は、スクロール上限速度になっていると判断した場合はＳ１１２３へ処理を戻す。Ｓ１１２３では、スクロール制御部２０８が、基準コンテンツのデータアイコンを左から右へスクロールする。一方、スクロール速度管理部２１４は、スクロール上限速度になっていないと判断した場合はＳ１１２２へ処理を戻す。Ｓ１１２２では、データアイコン変換部２１１は、基準コンテンツのデータアイコンを示す領域の左側のデータアイコンを示す領域の大きさを他の領域の大きさに比べて更に小さくする。また、スクロール速度管理部２１４は、スクロール速度を上げる（例えば速度７−３に上げる）。
【００６２】
Ｓ１１２７において、スクロール制御部２０８は、移動表示を終了させ、表示画面を停止状態の表示画面７０１に戻す。ここで、データアイコンの大きさはデータアイコン変換部２１１が元に戻す。
【００６３】
コンテンツ閲覧装置１０１が図１０に示したような処理を行うことにより、スクロールの速度に応じて、基準コンテンツのデータアイコンを示す領域を通過前のデータアイコンの大きさを、通過後のデータアイコンの大きさに対して小さく表示することができる。よって、限られた表示エリアに対して、より多くの重要なコンテンツをスクロールの速度に応じて表示することができる。
【００６４】
図１１は、データアイコンの列数を変化させる場合のスクロール動作処理の一例を示すフローチャートである。
まず、Ｓ１２０１において、スクロール制御部２０８は、操作リモコン装置１０３の右指示キー３０３が押下されたか否かを判断する。スクロール制御部２０８は、操作入力部２０４が受け取った操作リモコン装置１０３からの操作コマンドに基づいて、右指示キー３０３が押下されたか否かを判断する。スクロール制御部２０８は、右指示キー３０３が押下されたと判断した場合はＳ１２０２へ処理を進め、右指示キー３０３が押下されていないと判断した場合は、Ｓ１２１４へ処理を進める。
【００６５】
Ｓ１２０２において、スクロール制御部２０８は、基準コンテンツ（基準コンテンツのデータアイコンを示す領域）の位置を動かさずに、基準コンテンツのデータアイコンを９１４へずらしていきながら右から左へスクロールする。
続いて、Ｓ１２０３において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１２０４へ処理を進め、右指示キー３０３が継続して押下されていないと判断した場合はＳ１２１４へ処理を進める。
【００６６】
Ｓ１２０４において、スクロール制御部２０８は、予め定められた一定時間（所定時間）経過したか否かを判断する。スクロール制御部２０８は、予め定められた一定時間経過したと判断した場合はＳ１２０５へ処理を進める。一方、スクロール制御部２０８は、予め定められた一定時間経過していないと判断した場合はＳ１２０２へ処理を戻し、基準コンテンツのデータアイコンを９１５へずらしていきながら右から左へスクロールする。
【００６７】
Ｓ１２０５において、データアイコン変換部２１１は、表示画面９０２のようにデータアイコンの大きさ（データアイコンを示す領域の大きさ）を小さくする。また、データアイコン配列制御部２１２は、基準コンテンツのデータアイコンを示す領域に対して右側のデータアイコンの数を左側のデータアイコンの数より多く表示する。つまり、データアイコン配列制御部２１２は、基準コンテンツのデータアイコンを示す領域を通過する前のデータアイコンの数を、基準コンテンツのデータアイコンを示す領域を通過した後のデータアイコンの数より多く表示するよう制御する。
【００６８】
Ｓ１２０６において、スクロール制御部２０８は、基準コンテンツのデータアイコンを９２４、９２５とずらしていきながら右から左へ速度９−１で、所定量スクロールする。なお、速度の制御（又は管理）は、スクロール速度管理部２１４が行う。
Ｓ１２０７において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１２０８へ処理を進め、右指示キー３０３が継続して押下されていないと判断した場合はＳ１２２７へ処理を進める。
【００６９】
Ｓ１２０８において、スクロール制御部２０８は、予め定められた一定時間（所定時間）経過したか否かを判断する。スクロール制御部２０８は、予め定められた一定時間経過したと判断した場合はＳ１２０９へ処理を進め、予め定められた一定時間経過していないと判断した場合はＳ１２０６へ処理を戻す。
Ｓ１２０９において、データアイコン変換部２１１は、表示画面９０３のように基準コンテンツのデータアイコンを示す領域の右側のデータアイコンを示す領域の列数を増やして、より多くのデータアイコン（データアイコンを示す領域）を表示する。
【００７０】
Ｓ１２１０において、スクロール制御部２０８は、基準コンテンツのデータアイコンを９３４、９３５とずらしていきながら右から左へ速度９−２で、所定量スクロールする。なお、速度の制御（又は管理）は、スクロール速度管理部２１４が行う。
Ｓ１２１１において、スクロール制御部２０８は、右指示キー３０３が継続して押下されているか否かを判断する。スクロール制御部２０８は、操作入力部２０４が受け取った操作リモコン装置１０３からの操作コマンドに基づいて、右指示キー３０３が継続して押下されているか否かを判断する。スクロール制御部２０８は、右指示キー３０３が継続して押下されていると判断した場合はＳ１２１２へ処理を進め、右指示キー３０３が継続して押下されていないと判断した場合はＳ１２２７へ処理を進める。
【００７１】
Ｓ１２１２において、スクロール制御部２０８は、予め定められた一定時間（所定時間）経過したか否かを判断する。スクロール制御部２０８は、予め定められた一定時間経過したと判断した場合はＳ１２１３へ処理を進め、予め定められた一定時間経過していないと判断した場合はＳ１２１０へ処理を戻す。
【００７２】
Ｓ１２１３において、データアイコン配列制御部２１２は、予め定められたデータアイコンの配列の上限数になっているか否かを判断する。データアイコン配列制御部２１２は、データアイコンの配列の上限数になっていると判断した場合はＳ１２１０へ処理を戻す。Ｓ１２１０では、スクロール制御部２０８が、基準コンテンツのデータアイコンを９５４、９５５とずらしていきながら右から左へスクロールする。一方、データアイコン配列制御部２１２は、データアイコンの配列の上限数になっていないと判断した場合はＳ１２０９へ処理を戻す。Ｓ１２０９では、データアイコン変換部２１１は、表示画面９０４のように基準コンテンツのデータアイコンを示す領域の右側のデータアイコンを示す領域の列数を増やす。また、スクロール速度管理部２１４は、スクロール速度を上げる（例えば速度９−３に上げる）。
【００７３】
Ｓ１２１４において、スクロール制御部２０８は、操作リモコン装置１０３の左指示キー３０４が押下されたか否かを判断する。スクロール制御部２０８は、操作入力部２０４が受け取った操作リモコン装置１０３からの操作コマンドに基づいて、左指示キー３０４が押下されたか否かを判断する。スクロール制御部２０８は、左指示キー３０４が押下されたと判断した場合はＳ１２１５へ処理を進め、左指示キー３０４が押下されていないと判断した場合は、Ｓ１２０１へ処理を戻す。
Ｓ１２１５において、スクロール制御部２０８は、基準コンテンツ（基準コンテンツのデータアイコンを示す領域）の位置を動かさずに、基準コンテンツのデータアイコンを９１２へずらしていきながら左から右へスクロールする。
【００７４】
続いて、Ｓ１２１６において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１２１７へ処理を進め、左指示キー３０４が継続して押下されていないと判断した場合はＳ１２０１へ処理を戻す。
【００７５】
Ｓ１２１７において、スクロール制御部２０８は、予め定められた一定時間（所定時間）経過したか否かを判断する。スクロール制御部２０８は、予め定められた一定時間経過したと判断した場合はＳ１２１８へ処理を進める。一方、スクロール制御部２０８は、予め定められた一定時間経過していないと判断した場合はＳ１２１５へ処理を戻し、基準コンテンツのデータアイコンを９１１へずらしていきながら左から右へスクロールする。
【００７６】
Ｓ１２１８において、データアイコン変換部２１１は、表示画面９０２のようにデータアイコンの大きさ（データアイコンを示す領域の大きさ）を小さくする。また、データアイコン配列制御部２１２は、基準コンテンツのデータアイコンを示す領域に対して左側のデータアイコンの数を右側のデータアイコンの数より多く表示する。つまり、データアイコン配列制御部２１２は、基準コンテンツのデータアイコンを示す領域を通過する前のデータアイコンの数を、基準コンテンツのデータアイコンを示す領域を通過した後のデータアイコンの数より多く表示するよう制御する。
【００７７】
Ｓ１２１９において、スクロール制御部２０８は、基準コンテンツのデータアイコンを左から右へ速度９−１で、所定量スクロールする。なお、速度の制御（又は管理）は、スクロール速度管理部２１４が行う。
Ｓ１２２０において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１２２１へ処理を進め、左指示キー３０４が継続して押下されていないと判断した場合はＳ１２２７へ処理を進める。
【００７８】
Ｓ１２２１において、スクロール制御部２０８は、予め定められた一定時間（所定時間）経過したか否かを判断する。スクロール制御部２０８は、予め定められた一定時間経過したと判断した場合はＳ１２２２へ処理を進め、予め定められた一定時間経過していないと判断した場合はＳ１２１９へ処理を戻す。
【００７９】
Ｓ１２２２において、データアイコン変換部２１１は、基準コンテンツのデータアイコンを示す領域の左側のデータアイコンを示す領域の列数を増やして、より多くのデータアイコン（データアイコンを示す領域）を表示する。
【００８０】
Ｓ１２２３において、スクロール制御部２０８は、基準コンテンツのデータアイコンを左から右へ速度９−２で、所定量スクロールする。なお、速度の制御（又は管理）は、スクロール速度管理部２１４が行う。
Ｓ１２２４において、スクロール制御部２０８は、左指示キー３０４が継続して押下されているか否かを判断する。スクロール制御部２０８は、操作入力部２０４が受け取った操作リモコン装置１０３からの操作コマンドに基づいて、左指示キー３０４が継続して押下されているか否かを判断する。スクロール制御部２０８は、左指示キー３０４が継続して押下されていると判断した場合はＳ１２２５へ処理を進め、左指示キー３０４が継続して押下されていないと判断した場合はＳ１２２７へ処理を進める。
【００８１】
Ｓ１２２５において、スクロール制御部２０８は、予め定められた一定時間（所定時間）経過したか否かを判断する。スクロール制御部２０８は、予め定められた一定時間経過したと判断した場合はＳ１２２６へ処理を進め、予め定められた一定時間経過していないと判断した場合はＳ１２２３へ処理を戻す。
【００８２】
Ｓ１２２６において、データアイコン配列制御部２１２は、予め定められたデータアイコンの配列の上限数になっているか否かを判断する。データアイコン配列制御部２１２は、データアイコンの配列の上限数になっていると判断した場合はＳ１２２３へ処理を戻す。Ｓ１２２３では、スクロール制御部２０８が、基準コンテンツのデータアイコンを左から右へスクロールする。一方、データアイコン配列制御部２１２は、データアイコンの配列の上限数になっていないと判断した場合はＳ１２２２へ処理を戻す。Ｓ１２２２では、データアイコン変換部２１１は、基準コンテンツのデータアイコンを示す領域の左側のデータアイコンを示す領域の列数を増やす。また、スクロール速度管理部２１４は、スクロール速度を上げる（例えば速度９−３に上げる）。
【００８３】
Ｓ１２２７において、スクロール制御部２０８は、移動表示を終了させ、表示画面を停止状態の表示画面９０１に戻す。ここで、データアイコンの大きさはデータアイコン変換部２１１が元に戻す。
【００８４】
コンテンツ閲覧装置１０１が図１１に示したような処理を行うことにより、スクロールの速度に応じて、基準コンテンツのデータアイコンを示す領域を通過前のデータアイコンの列数を、通過後のデータアイコンの列数より多く表示することができる。よって、限られた表示エリアに対して、より多くの重要なコンテンツをスクロールの速度に応じて表示することができる。また、基準コンテンツの表示位置の移動量を小さくし、見づらさを解消することができる。
【００８５】
＜実施形態２＞
上述した実施形態では、基準コンテンツのデータアイコンを示す領域の大きさ以外は、前記領域を通過前のデータアイコンを示す領域の大きさと、前記領域を通過後のデータアイコンを示す領域の大きさと、を同じ大きさとしていた。しかしながら、前記領域を通過前のデータアイコンを示す領域の大きさと、前記領域を通過後のデータアイコンを示す領域の大きさと、を異なるようにしてもよい。
【００８６】
図１２は、データアイコンの大きさを変化させる場合の画面遷移の一例を示す図（その２）である。
図１２において、８０１は停止状態の表示画面である。基準コンテンツのデータアイコンを示す領域は、表示画面の中央付近（つまり中央から所定の領域内）に配置されている。更に、データアイコンを示す領域の大きさを基準コンテンツのデータアイコンを示す領域の位置から遠ざかるほど小さく表示している。８０２は、右から左へスクロールしている画面である。基準コンテンツのデータアイコンを示す領域に対して右側のデータアイコンをスクロール速度に比例して、停止状態におけるそれぞれのデータアイコンの大きさに対して小さく表示している。
【００８７】
データアイコン変換部２１１等が図１２に示されるようにデータアイコンの大きさ（データアイコンを示す領域の大きさ）を変化させることによって、基準コンテンツの表示位置の移動量を小さくすることができる。また、スピードに応じて、より多くの重要なコンテンツを表示することができる。そのため、見づらさも解消することができる。
【００８８】
また、上述した実施形態では、横方向にスクロールする例を用いて説明を行ったが、スクロールする方向は斜め方向や、画面に対して前後の方向等、様々方向であってもよい。
また、上述した実施形態のコンテンツ閲覧装置１０１は、通過後のデータアイコンを画面上に表示していたが、スクロールが開始された際には、必ずしも通過後のデータアイコンを画面上に表示しないよう制御してもよい。このように制御することにより、限られた表示エリアに対して、重要なコンテンツをより多く表示することができる。
【００８９】
また、上述した実施形態のコンテンツ閲覧装置１０１は、一定時間以上連続して操作指示キーが押下された際に表示の変更を行っていたが、一定時間を限りなく小さくし、直ぐに表示の変更を行うようにしてもよい。このようにすることにより、スクロールに対する操作レスポンスを早くすることができる。また上述した実施形態のコンテンツ閲覧装置１０１は、一定時間以上連続した操作指示キーの押下によって速度を変えていたが、一度の操作指示キーの押下によってスクロールを開始し、その後の操作指示キーの押下の回数に応じてスクロール速度を変更してもよい。
【００９０】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００９１】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００９２】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００９３】
本発明を前記記憶媒体に適用する場合、その記憶媒体には、先に説明したフローチャートに対応するプログラムコードが格納されることになる。
【００９４】
以上、上述した各実施形態によれば、限られた表示エリアにおいて重要なコンテンツを表示させると共に、視認性を向上させることができる。
【００９５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００９６】
【図１】表示システムのシステム構成の一例を示す図である。
【図２】コンテンツ閲覧装置１０１及び表示装置１０２のハードウェア構成の一例を示す図である。
【図３】操作リモコン装置１０３のハードウェア構成の一例を示す図である。
【図４】表示装置１０２の表示部２２４に表示された表示画面の一例を示す図である。
【図５】従来のスクロールにおける画面遷移の一例を示す図である。
【図６】基準コンテンツの位置を移動させる場合の画面遷移の一例を示す図である。
【図７】データアイコンの大きさを変化させる場合の画面遷移の一例を示す図（その１）である。
【図８】データアイコンの列数を変化させる場合の画面遷移の一例を示す図である。
【図９】基準コンテンツの位置を移動させる場合のスクロール動作処理の一例を示すフローチャートである。
【図１０】データアイコンの大きさを変化させる場合のスクロール動作処理の一例を示すフローチャートである。
【図１１】データアイコンの列数を変化させる場合のスクロール動作処理の一例を示すフローチャートである。
【図１２】データアイコンの大きさを変化させる場合の画面遷移の一例を示す図（その２）である。
【符号の説明】
【００９７】
１０１  コンテンツ閲覧装置
１０２  表示装置
１０３  操作リモコン装置
【図１】
0004942199.tif 000002
【図２】
0004942199.tif 000003
【図３】
0004942199.tif 000004
【図４】
0004942199.tif 000005
【図５】
0004942199.tif 000006
【図６】
0004942199.tif 000007
【図７】
0004942199.tif 000008
【図８】
0004942199.tif 000009
【図９】
0004942199.tif 000010
【図１０】
0004942199.tif 000011
【図１１】
0004942199.tif 000012
【図１２】
0004942199.tif 000013